(57)【特許請求の範囲】
【請求項１】
軸筒先方に開口部を有したシール室が設けられ、シール室の両側に一対の脚部で軸支された蓋体の蓋部が上記開口部を密閉すると共に、上記蓋体の脚部に適宜鉤状に屈曲した窓孔が設けられ、また、軸筒のシール室の両側面に設けた突起が上記窓孔に嵌入し、軸筒内にスプリングによって常時後方に附勢されて前後動可能なスライダーが設けられ、且つ、スライダーと蓋体の脚部の一端が連結部により接合されて成り、更に上記軸筒内にサインペン、マーカー等の筆記体がスライダーと連動するよう設けられて、筆記体先端のペン芯部位が上記シール室内に密挿され、スライダーの前進による連結部の前進で蓋部が開口部端面から適宜離間した状態から上記突起が屈曲した窓孔部に入った状態で略９０°で回動して蓋部がシール室の上面に位置して開口されると共にペン芯が突出し、スライダーの後退によって連結部により連動して蓋部が開口部を密閉するように回動し、ペン芯部位がシール室内に密嵌されるように構成されたことを特徴とするキャップレス筆記具。
【請求項２】
上記蓋体は、蓋部とその後端から立設した一対の脚部とその一端から夫々延設した可撓性を有する連結部とその後端に夫々摺動コマが形成され、又、スライダーの前筒部の両側面に切溝とスリット部が穿設されると共にスリット部の両壁途中に突起が形成されて、上記摺動コマがスリット部に嵌装して摺動可能と成され、蓋部が密閉した状態に於いて上記摺動コマが上記突起に係合して適宜押圧力で蓋部が拡開可能と成され、拡開が終了した時点でスライダーが更に前進する際には上記係合が外れて摺動コマがスリット部の後方へ摺動可能となるように構成した上記請求項１記載のキャップレス筆記具。
【請求項３】
軸筒の一側に長手方向にスリット部が設けられ、該スリット部の前後に２箇所で係止溝が形成されて、又、スライダーの後方に係止部を有して釦が設けられ、釦が上記スリット部から貫出すると共に筆記体のペン芯が開口部から出没する釦の前後退位置で上記係止部が上記前後の係止溝に係合するように構成された上記請求項１または２記載のキャップレス筆記具。
【発明の詳細な説明】
【０００１】
【産業上の利用分野】
本発明は、マーカー、サインペン等の揮発性のインクを搭載したキャップレス筆記具等の改良に関する。
【０００２】
【従来の技術】
従来、マーカー、サインペン等の揮発性の有るインクを搭載した筆記具はペン先をシールする為にキャップが取付けられている。従って、キャップを着脱する煩わしさとキャップを紛失してしまう等の問題がある。又、そのような問題を解決する為にキャップレスの筆記具が多数知られているがシール性を確実に克服したものは少ない。又、本願のように開閉蓋でシールするものも存在するが構造が複雑で安価に提供できない等の問題がある。
【０００３】
【発明が解決しようとする課題】
本発明の課題はシールが確実で安価なキャップレス筆記具を提供することに  ある。
【０００４】
【課題を解決するための手段】
上記目的を達成するために本発明のキャップレス筆記具は、軸筒先方に開口部を有したシール室が設けられ、シール室の両側に一対の脚部で軸支された蓋体の蓋部が上記開口部を密閉すると共に、上記蓋体の脚部に適宜鉤状に屈曲した窓孔が設けられ、また、軸筒のシール室の両側面に設けた突起が上記窓孔に嵌入し、軸筒内にスプリングによって常時後方に附勢されて前後動可能なスライダーが設けられ、且つ、スライダーと蓋体の脚部の一端が連結部により接合されて成り、更に上記軸筒内にサインペン、マーカー等の筆記体がスライダーと連動するよう設けられて、筆記体先端のペン芯部位が上記シール室内に密挿され、スライダーの前進による連結部の前進で蓋部が開口部端面から適宜離間した状態から上記突起が屈曲した窓孔部に入った状態で略９０°で回動して蓋部がシール室の上面に位置して開口されると共にペン芯が突出し、スライダーの後退によって連結部により連動して蓋部が開口部を密閉するように回動し、ペン芯部位がシール室内に密嵌されるように構成されてなる。
【０００５】
【実施例】
本発明はインクの蒸発を伴うサインペン、マーカー等のキャップレス筆記具に関するもので図１乃至図７はその実施例を示している。
先ず、軸筒１はその先方に後述する筆記体のペン芯を出没させる開口部３を有したシール室２が形成され、当該シール室２の両側には案内溝部５が設けられ、又、シール室の上部は切り窓４となっている。又、案内溝部内に位置して、上記シール室２の両側面には一対の突起５ａが形成されている。又、軸筒１の一側に長手方向にスリット部６が穿設され、該スリット部６内にはガイドリブ９が形成され、そのガイドリブ９の前後位置で２箇所切欠られて係止溝７と８が設けられている。又、軸筒の後端には雄螺子部１０が形成されている。
【０００６】
又、蓋体１１は、蓋部１２とその後端から立設した一対の脚部１３とその一端から夫々延設した可撓性を有する連結部１５とその後端に夫々摺動コマ１７が一体に形成されてなる。又、連結部１５と脚部１３との間の屈曲性を円滑と成す為に脚部１３と連結部１５の接合部をヒンジと成すことも考えられる。
又、上記脚部１３には適宜鉤状に屈曲した窓孔１４が形成され、連結部１５の略中間にはループ状の張力調整リング部１６が形成されている。この張力調整用リング部１６は連結部１５に適宜剛性を付与するために設けられるものである。又、上記摺動コマ１７には後述するスライダーのスリット部に前後動可能に摺動するガイド部１８ａとスリット部から抜出しないように係合する係止部１８ｂが形成されている。尚、摺動コマ１７は連結部１５の後端に別体で固着することも可能である。又、上記蓋部１２は組み立て上の都合等で脚部１３と別体で形成して相互を固着する構造がとられる。又、蓋部１２の内面は前記開口部３に密接するテーパー部や凹凸部が工夫される。（図示せず）又、密接部に例えばゴム等の弾性体が設けられる場合もある。
【０００７】
又、スライダー１９は、鍔部２０の前方に前筒部２１と後方に後筒部２２を有して成る。スライダーの前筒部２１の両側面には前端に前記連結部１５が嵌挿する切り溝２３とそれと連通して巾尋のスリット部２４が形成されている。又、スリット部２４の両壁途中に突起２５が形成されている。後筒部２２の側面に後端に開口部を有して鉤状の係止溝２６が形成され、その角部に突部２６ａが設けられている。尚、突部２６ａは後述する筆記体の突部が係止溝２６に係合されて筆記体がスライダー１９に固定された時に容易に筆記体の突部が係止溝２６から抜出しないように阻止するものである。又、鍔部２０の上端から延設して弾性片２７が形成され、該弾性片の端部の上面に釦２８と該釦２８の両側に係止部２８ａが設けられている。
【０００８】
一方、筆記体２９は、先方の細径の軸部３０とその後端に中径部３３、更にその後方にインキタンクとなる大径部３４が形成されて成る。又、中径部３４の側面に上述した突起３５が形成されている。又、上記軸部３０の要所に溝等を形成してその溝内にゴム等の弾性体よりなるＯリング３２が取付けられている。尚、Ｏリング３２は前記シール室２の内周壁に対し密挿状態で且つ摺動可能な範囲で周接するもので、摩擦力を軽減する為にシリコン系、テフロン系の材質又はコーティングが工夫される。又、Ｏリングの代わりに半流動性を有したシール材などが適用される。
【０００９】
又、尾栓３６は後端閉塞状の筒体で開口部内面には前記軸筒１後端の雄螺子部１０と螺合する雌螺子部３７が形成されている。
【００１０】
ところで、前記軸筒１、蓋体１１、筆記体２９の容器本体、は夫々インキの蒸発を防止可能とする合成樹脂材料が選択される。但し、軸筒１はシール室２を別部材となせば外装部はそれに限定されない。又、蓋部１２を脚部１３と別体とすれば蓋部１２のみ蒸発を防止可能な材料と成せばよい。
【００１１】
以上で、軸筒１のシール室２の両側面に設けた突起５ａに蓋体１１の脚部１３に形成した窓孔１４を係合させて蓋部１２が略９０°で回動するように軸支される。又、連結部１５後端の摺動コマ１７がスライダー１０のスリット部２４に嵌挿された状態で、スライダー１９の鍔部２０に後端を当接してスプリング３８とスライダー１９が軸筒１内に配設され、常時はスライダー１９がスプリング３８で後方に附勢されて連結部１５の張力で蓋部１２が開口部３を密閉する。
又、スライダー１９の釦２８が軸筒のスリット部６から貫出され、釦２８を摺動させてスライダー１９を前後退位置に係合可能とする。（釦２８の両側に設けた係止部２８ａがスリット部６の係止溝７又は８に嵌入して係合する）
又、軸筒１内に筆記体２９が嵌挿され、前記突起３５をスライダー１９後端の係止溝２６に係合させてスライダー１９に筆記体２９を固定し、軸筒１の後端には尾栓３６が螺合される。
【００１２】
【作用】
本発明のキャップレス筆記具は以上のように構成されており、未使用時には図２、図４、図６に示すように蓋部１２がシール室２の開口部３を密閉してペン芯部位がシール室内の蓋部１２と前記Ｏリング３２との間で密嵌されてインキの蒸発とペン芯３１の乾燥が防止される。
又、図１、図３、図５に示すように釦２８を前進操作するとスライダー１９が前進し、連結部１５が連動して蓋部１２が略９０°回動して開口部３が開放されて、更に前進して筆記体２９のペン芯３１が開口部３から突出した状態で係止されて筆記状態となる。その際、スライダー１９の前進で蓋部１２が拡開するまで連結部１５の摺動コマ１７がスライダーのスリット部２４に設けた突起２５に係合して後退阻止されるが、その後の前進で係合状態が解除されて摺動コマ１７がスリット部２４の後方に摺動する。その理由は連結部１５が撓んで軸筒内に干渉しない為である。
【００１３】
【発明の効果】
本発明のキャップレス筆記具の構成及び作用は以上の如くであり、従来の着脱式のキャップでペン先を被覆した物のように、筆記の度にキャップを着脱する煩わしさもなく、キャップを紛失してしまう心配もなく、又、キャップの着脱の際に誤て手を汚してしまう等の問題もなく使用できる。又、構造が簡単なので、安価に提供が可能である。
【図面の簡単な説明】
【図１】本発明の実施例を示す全体の斜視図で、内部を透視する為に要所を破断して示している。又、ペン芯を突出した状態を示している。
【図２】本発明の実施例を示す全体の斜視図で、内部を透視する為に要所を破断して示している。又、開口部が蓋部で密閉された状態を示している。
【図３】図１に対応する正面図で、内部を透視する為に要所を断面している。
【図４】図２に対応する正面図で、内部を透視する為に要所を断面している。
【図５】図１に対応する外観斜視図である。
【図６】図２に対応する外観斜視図である。
【図７】本発明の実施例であるキャップレス筆記具の部品展開を示した斜視図である。
【符号の説明】
１  軸筒
２  シール室
３  開口部
４  切り窓
５  案内溝部
５ａ  突起
６  スリット部
７  係止溝
８  係止溝
９  ガイドリブ
１０  雄螺子部
１１  蓋体
１２  蓋部
１３  脚部
１４  窓孔
１５  連結部
１６  張力調整リング部
１７  摺動コマ
１８ａ  ガイド部
１８ｂ  係止部
１９  スライダー
２０  鍔部
２１  前筒部
２２  後筒部
２３  切り溝
２４  スリット部
２５  突起
２６  係止溝
２６ａ  突部
２７  弾性片
２８  釦
２８ａ  係止部
２９  筆記体
３０  軸部
３１  ペン芯
３２  Ｏリング
３３  中径部
３４  大径部
３５  突起
３６  尾栓
３７  雌螺子部
３８  スプリング
【図１】
0003668522.tif 000002
【図２】
0003668522.tif 000003
【図３】
0003668522.tif 000004
【図４】
0003668522.tif 000005
【図５】
0003668522.tif 000006
【図６】
0003668522.tif 000007
【図７】
0003668522.tif 000008